【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】
リモートの文書マネジャー及びリモートのＡＳＰにネットワークを介して接続されるＡＳＰユーザデバイスにてアプリケーションサービスプロバイダ（ＡＳＰ）文書の転送を要求するステップと、
前記ＡＳＰ文書の転送を実行するための予め定められた時間を確立するステップと、
前記ネットワークを介して予め定められた時間に前記ＡＳＰ文書を転送するステップと、
を備えることを特徴とするＡＳＰ文書の管理方法。
【請求項２】
転送を要求する前記ステップは、ＡＳＰユーザデバイスが前記リモートの文書マネジャーにログオンするとき、前記ネットワークを介して前記文書マネジャーに繰り延べられた転送要求を送信する、
ことを特徴とする請求項１に記載のＡＳＰ文書の管理方法。
【請求項３】
当該ＡＳＰユーザデバイスにより前記リモートの文書マネジャーにログオンするステップをさらに備え、
転送を要求する前記ステップは、前記ユーザデバイスが前記リモートの文書マネジャーにログオンした後、前記ネットワークを介して前記リモートの文書マネジャーから受信したメニューから繰り延べられた転送要求オプションを入力する、
ことを特徴とする請求項１に記載のＡＳＰ文書の管理方法。
【請求項４】
前記ＡＳＰ文書の転送を実行するための予め定められた時間を確立する前記ステップは、前記リモートの文書マネジャーに予め定められた時間を送信することなく前記リモートの文書マネジャーに前記予め定められた時間を確立するように要求する、
ことを特徴とする請求項１に記載のＡＳＰ文書の管理方法。
【請求項５】
前記ＡＳＰ文書が、前記リモートのＡＳＰに記憶する記憶文書であるか、又は前記ＡＳＰから抽出する抽出文書であるかどうかを判別するステップをさらに備える、
ことを特徴とする請求項１に記載のＡＳＰ文書の管理方法。
【請求項６】
前記判別ステップは、
前記ＡＳＰユーザデバイスへのオペレータ入力に基づいて前記ＡＳＰ文書が記憶文書であると判別するステップと、
前記記憶文書を前記ＡＳＰユーザデバイスに入力するステップと、を備え、
前記転送ステップは、前記予め定められた時間に前記ネットワークを介して前記ＡＳＰ文書を転送する、
ことを特徴とする請求項５に記載のＡＳＰ文書の管理方法。
【請求項７】
前記ＡＳＰ文書を前記ＡＳＰユーザデバイスに入力する前記ステップは、
前記ＡＳＰ文書の紙複写物を光学的にスキャンして前記ＡＳＰ文書の前記紙複写物を表すデジタル信号を提供し、
前記ＡＳＰユーザデバイスに対応するメモリに前記デジタル信号を記憶する、
ことを特徴とする請求項６に記載のＡＳＰ文書の管理方法。
【請求項８】
前記ネットワークを介して前記ＡＳＰ文書を転送する前記ステップは、前記予め定められた時間に前記ＡＳＰ文書を前記リモートのＡＳＰに送信する、
ことを特徴とする請求項６に記載のＡＳＰ文書の管理方法。
【請求項９】
前記判別ステップは、
前記ＡＳＰユーザデバイスへのオペレータ入力に基づいて前記ＡＳＰ文書が抽出文書であると判別し、
前記ＡＳＰユーザデバイスに文書抽出要求を生成し、
前記ネットワークを介して前記リモートの文書マネジャーに前記文書抽出要求を送信し、
前記予め定められた時間に前記抽出文書を受信する、
ことを特徴とする請求項５に記載のＡＳＰ文書の管理方法。
【請求項１０】
前記抽出文書を受信する前記ステップは、前記予め定められた時間に前記リモートの文書マネジャーから前記抽出文書を受信する、
ことを特徴とする請求項９に記載のＡＳＰ文書の管理方法。
【請求項１１】
前記抽出文書を受信する前記ステップは、前記予め定められた時間に前記リモートのＡＳＰから前記抽出文書を受信する、
ことを特徴とする請求項９に記載のＡＳＰ文書の管理方法。
【請求項１２】
コンピュータシステム上で実行するための指令を含むプログラムであって、
前記コンピュータシステムにより実行されるとき、当該コンピュータシステムに請求項１乃至１１のいずれか１項に記載するステップを実行させる、
ことを特徴とするコンピュータプログラム。
【請求項１３】
アプリケーションサービスプロバイダ（ＡＳＰ）文書の管理に関連する組み込まれたデータを有するメモリデバイスと、
前記メモリデバイスと通信するプロセッサと、を備え、
前記プロセッサは、
ネットワークを介してリモートの文書マネジャー及びリモートのＡＳＰに接続されるＡＳＰユーザデバイスにてＡＳＰ文書の転送を要求し、
前記ＡＳＰ文書の転送を実行するための予め定められた時間を確立し、
前記ネットワークを介して予め定められた時間に前記ＡＳＰ文書を転送する、ように構成される、
ことを特徴とするシステム。
【請求項１４】
前記プロセッサは、当該ＡＳＰユーザデバイスが前記リモートの文書マネジャーにログオンするとき、前記ネットワークを介して前記リモートの文書マネジャーに繰り延べられた転送要求を送信することにより転送を要求するように構成される、
ことを特徴とする請求項１３に記載のシステム。
【請求項１５】
前記プロセッサは、当該ＡＳＰユーザデバイスにより前記リモートの文書マネジャーにログオンするようにさらに構成され、
前記プロセッサは、前記ユーザデバイスが前記リモートのユーザデバイスにログオンした後、前記ネットワークを介して前記文書マネジャーから受信したメニューから繰り延べられた転送オプションを入力することにより転送を要求する、
ことを特徴とする請求項１３に記載のシステム。
【請求項１６】
前記プロセッサは、前記予め定められた時間を入力し、前記ネットワークを介して前記リモートの文書マネジャーに前記予め定められた時間を送信することにより、前記ＡＳＰ文書の転送を実行するために予め定められた時間を確立するように構成される、
ことを特徴とする請求項１３に記載のシステム。
【請求項１７】
前記プロセッサは、前記リモートの文書マネジャーに予め定められた時間を送信することなく、前記リモートの文書マネジャーに前記予め定められた時間を確立するように要求することにより前記ＡＳＰ文書の転送を実行するための予め定められた時間を確立するように構成される、
ことを特徴とする請求項１３に記載のシステム。
【請求項１８】
前記プロセッサは、インターネットを介して前記ＡＳＰ文書を転送することにより、前記ネットワークを介して予め定められた時間で前記ＡＳＰ文書を転送するように構成される、
ことを特徴とする請求項１３に記載のシステム。
【請求項１９】
前記プロセッサは、さらに、前記ＡＳＰ文書が前記リモートのＡＳＰに記憶する記憶文書であるか、又は前記リモートのＡＳＰから抽出する抽出文書であるかを判別するように構成される、
ことを特徴とする請求項１３に記載のシステム。
【請求項２０】
前記プロセッサは、
前記ＡＳＰユーザデバイスへのオペレータ入力に基づいて前記ＡＳＰ文書が記憶文書であることを判別し、
前記ＡＳＰユーザデバイスに前記記憶文書を入力する、ことにより前記ＡＳＰ文書が前記リモートのＡＳＰに記憶する記憶文書であるか、又は前記リモートのＡＳＰから抽出する抽出文書であるかを判別するように構成され、
前記転送ステップは、前記予め定められた時間に前記ネットワークを介して前記ＡＳＰ文書を転送する、
ことを特徴とする請求項１９に記載のシステム。
【請求項２１】
ネットワークを介してリモートの文書マネジャー及びリモートのアプリケーションサービスプロバイダ（ＡＳＰ）に接続されるＡＳＰユーザデバイスにてＡＳＰ文書の転送を要求する手段と、
前記ＡＳＰ文書の転送を実行するための予め定められた時間を確立する手段と、
前記ネットワークを介して予め定められた時間に前記ＡＳＰ文書を転送する手段と、
を備えることを特徴とするＡＳＰ文書の管理システム。
【請求項２２】
当該ＡＳＰユーザデバイスにより前記リモートの文書マネジャーにログオンする手段をさらに備え、
転送を要求する前記手段は、前記ユーザデバイスが前記リモートの文書マネジャーにログオンした後で、前記ネットワークを介して前記リモートの文書マネジャーから受信したメニューから繰り延べられた転送オプションを入力する手段を有する、
ことを特徴とする請求項２１に記載のＡＳＰ文書の管理システム。
【手続補正２】
【補正対象書類名】明細書
【補正対象項目名】００１３
【補正方法】変更
【補正の内容】
【００１３】
上記目的を達成するため、本発明の第２の観点に係るプログラムは、
コンピュータシステム上で実行するための指令を含むプログラムであって、
前記コンピュータシステムにより実行されるとき、当該コンピュータシステムに請求項１乃至１１のいずれか１項に記載するステップを実行させる、
ことを特徴とする。